(57)【要約】【課題】テレビ番組の視聴・録画予約を行うときに、繁雑な作業を必要とせず、誤登録が起こらないようにする。【解決手段】撮像対象を撮影する撮像手段１３と、撮影された撮像対象の画像データから文字の部分を抽出して文字データとして認識する文字認識手段１４と、文字認識された文字データを送信する送信手段１５と、を有するリモートコントローラ１１と、送信手段１５から送信された文字データを受信する受信手段１７と、受信した文字データを処理し、その文字データの情報を解析して視聴・録画予約を設定するデータ処理手段１８と、を有するテレビ受像機及び／又は録画再生装置１２と、を備える。【選択図】図１
2008131081.tif 000002
【特許請求の範囲】
【請求項１】
撮像対象を撮影する撮像手段と、
撮影された前記撮像対象の画像データから文字の部分を抽出して文字データとして認識する文字認識手段と、
文字認識された前記文字データを送信する送信手段と、を有するリモートコントローラと、
前記送信手段から送信された前記文字データを受信する受信手段と、
受信した前記文字データを処理し、その文字データの情報を解析して視聴・録画予約を設定するデータ処理手段と、を有するテレビ受像機及び／又は録画再生装置と、
を備えることを特徴とするテレビ受像機及び／又は録画再生装置の動作設定システム。
【請求項２】
撮像対象を撮影する撮像手段と、
撮影された前記撮像対象の画像データを送信する送信手段と、を有するリモートコントローラと、
前記送信手段から送信された前記画像データを受信する受信手段と、
受信した前記画像データから文字の部分を抽出して文字データとして認識する文字認識手段と、
前記文字データを処理し、その文字データの情報を解析して視聴・録画予約を設定するデータ処理手段と、を有するテレビ受像機及び／又は録画再生装置と、
を備えることを特徴とするテレビ受像機及び／又は録画再生装置の動作設定システム。
【請求項３】
前記データ処理手段は、受信した文字データから意味のある単語を抽出し、抽出された単語をキーワードとして、電子番組表の番組に付随する情報に対して検索を行い、前記単語の全てまたは一部が含まれている番組を検索して視聴・録画予約する番組を決定することを特徴とする請求項１または２に記載のテレビ受像機及び／又は録画再生装置の動作設定システム。
【請求項４】
前記電子番組表の番組に付随する情報は、タイトル、放送日時、出演者のうちの少なくとも１つを含むことを特徴とする請求項１〜３のいずれか１項に記載のテレビ受像機及び／又は録画再生装置の動作設定システム。
【請求項５】
複数の番組が検索された場合に、前記複数の番組のうちから視聴・録画を行う番組を選択可能に構成されたことを特徴とする請求項１〜４のいずれか１項に記載のテレビ受像機及び／又は録画再生装置の動作設定システム。
【請求項６】
複数の番組が検索された場合に、前記複数の番組のうちから放送日時が一番近い番組を自動的に選択して視聴・録画予約することを特徴とする請求項１〜４のいずれか１項に記載のテレビ受像機及び／又は録画再生装置の動作設定システム。
【請求項７】
前記撮像手段で撮影された画像のなかに番組を特定するコードが含まれている場合は、当該コードから特定される番組を優先して番組を選択し、自動的に視聴・録画予約することを特徴とする請求項１〜６のいずれか１項に記載のテレビ受像機及び／又は録画再生装置の動作設定システム。
【請求項８】
前記リモートコントローラと前記テレビ受像機との間の通信手段は、電波による短距離無線通信であることを特徴とする請求項１〜７のいずれか１項に記載のテレビ受像機及び／又は録画再生装置の動作設定システム。
【請求項９】
撮像対象を撮影する撮像手段と、
撮影された前記撮像対象の画像データから文字の部分を抽出して文字データとして認識する文字認識手段と、
前記文字データを送信する送信手段と、有することを特徴とするリモートコントローラ。
【請求項１０】
前記送信手段は、電波による短距離無線通信であることを特徴とする請求項９に記載のリモートコントローラ。
【請求項１１】
請求項９または１０に記載のリモートコントローラから送信された文字データを受信する受信手段と、
受信した前記文字データを処理し、その文字データの情報を解析して視聴・録画予約を設定するデータ処理手段と、を有することを特徴とするテレビ受像機及び／又は録画再生装置。
【請求項１２】
リモートコントローラの操作者を撮影する撮像手段と、
撮影された前記操作者の画像データが、予め登録された登録者の画像データと一致するかを検索し、画像データが一致した登録者を操作者として認識し、予め記憶されている操作者の設定データを読み出す操作者認識手段と、
読み出された前記設定データを送信する送信手段と、を有するリモートコントローラと、
前記送信手段から送信された前記設定データを受信する受信手段と、
受信した前記設定データに基づく設定に操作設定を切り換える設定切換手段と、を有するテレビ受像機及び／又は録画再生装置と、
を備えることを特徴とするテレビ受像機及び／又は録画再生装置の動作設定システム。
【請求項１３】
リモートコントローラの操作者を撮影する撮像手段と、
撮影された前記撮像対象の画像データを送信する送信手段と、を有するリモートコントローラと、
前記送信手段から送信された前記画像データを受信する受信手段と、
受信した前記画像データから、予め登録された登録者の画像データと一致するかを検索し、画像データが一致した登録者を操作者として認識し、予め記憶されている操作者の設定データを読み出す操作者認識手段と、
前記設定データに基づく設定に操作設定を切り換える設定切換手段と、を有するテレビ受像機及び／又は録画再生装置と、
を備えることを特徴とするテレビ受像機及び／又は録画再生装置の動作設定システム。
【請求項１４】
前記操作者の操作設定は、番組検索、視聴・録画予約、電子番組表表示レベルの変更、リモコン操作レベルの変更、音量の設定、映像の設定、のうち少なくとも１つを含むことを特徴とする請求項１２又は１３に記載のテレビ受像機及び／又は録画再生装置の動作設定システム。
【請求項１５】
前記画像データは、前記操作者の顔を含む画像のデータであることを特徴とする請求項１２〜１４のいずれか１項に記載のテレビ受像機及び／又は録画再生装置の動作設定システム。
【請求項１６】
前記画像データは、前記操作者の指紋を含む画像のデータであることを特徴とする請求項１２〜１４のいずれか１項に記載のテレビ受像機及び／又は録画再生装置の動作設定システム。
【請求項１７】
前記リモートコントローラと前記テレビ受像機との間の通信手段は、電波による短距離無線通信であることを特徴とする請求項１２〜１６のいずれか１項に記載のテレビ受像機及び／又は録画再生装置の動作設定システム。
【請求項１８】
リモートコントローラの操作者を撮影する撮像手段と、
撮影された前記操作者の画像データが、予め登録された登録者の画像データと一致するかを検索し、画像データが一致した登録者を操作者として認識し、予め記憶されている操作者の設定データを読み出す操作者認識手段と、
読み出された前記設定データを送信する送信手段と、を有することを特徴とするリモートコントローラ。
【請求項１９】
前記画像データは、前記操作者の顔を含む画像のデータであることを特徴とする請求項１８に記載のリモートコントローラ。
【請求項２０】
前記画像データは、前記操作者の指紋を含む画像のデータであることを特徴とする請求項１８に記載のリモートコントローラ。
【請求項２１】
前記送信手段は、電波による短距離無線通信であることを特徴とする請求項１８〜２０のいずれか１項に記載のリモートコントローラ。
【請求項２２】
請求項１８〜２１のいずれか１項に記載のリモートコントローラから送信された設定データを受信する受信手段と、
受信した前記設定データに基づく設定に操作設定を切り換える設定切換手段と、を有することを特徴とするテレビ受像機及び／又は録画再生装置。
【発明の詳細な説明】
【技術分野】
【０００１】
本発明は、テレビ受像機及び／又は録画再生装置の動作設定システム、リモートコントローラ及びテレビ受像機及び／又は録画再生装置に関する。
【背景技術】
【０００２】
従来から、新聞や雑誌等の紙メディアに掲載されたテレビ番組の放送年月日、放送局チャンネル番号、放送開始時間、放送終了時間、録画コード番号（Ｇコード）などを見ながら、ユーザがリモートコントローラのキーを操作して番組の視聴・録画予約を行うことにより、テレビ受像機及び／又は録画再生装置やビデオレコーダ・ＤＶＤレコーダ等の録画再生装置を自動的に作動開始及び作動終了させる視聴・録画予約方法が行われている。
【０００３】
また最近では、テレビ電波あるいはインターネット等の通信回線を通して配信される電子番組ガイド（ＥＰＧ）をテレビ受像機及び／又は録画再生装置の画面あるいはパーソナルコンピュータのモニタに番組表を表示させ、視聴・録画予約したい番組を選択することができるようになってきた。
【０００４】
また、特許文献１には、新聞などの読み取り対象物上の文字や図形を撮像装置により撮像し、撮像したこの文字や図形を信号処理してＴＶ受像機等のディスプレイの画面に拡大表示することができるハンディー型拡大カメラが開示されている。
【特許文献１】特開平１１−１２２５２０号公報
【発明の開示】
【発明が解決しようとする課題】
【０００５】
しかしながら、従来のテレビ番組の視聴・録画予約は、ユーザが新聞や雑誌等の紙メディアの番組表とリモートコントローラとを交互に見ながら、テレビ番組の放送年月日、放送局チャンネル番号、放送開始時間、放送終了時間を目視で確認しながらキー入力する必要があるため、その作業が繁雑であり、また誤操作に基づく視聴・録画予約の誤登録が発生し易いという問題があった。
【０００６】
また、ＥＰＧによるテレビ番組の視聴・録画予約を行うための電子番組表の表示は、テレビ受像機及び／又は録画再生装置等の画面に表示される文字数は画面のサイズ・解像度等により制限され、１画面に表示できる情報量が少ない。このため、リモートコントローラのキー操作を何度も行って画面をスクロールするなどして、視聴・録画を予約する番組を探して表示させる必要がある。なお、番組名、ジャンル、出演者名などを検索キーワードとして所望の番組を検索する機能の備えた録画再生装置もあるが、キーワードの入力や検索の設定などのキー操作が必要である。
【０００７】
また、特許文献１に記載されたハンディー型拡大カメラは、撮像した画像をテレビ受像機及び／又は録画再生装置等の画面に拡大表示することができるので、新聞や雑誌等の紙メディアの番組表等をテレビ受像機及び／又は録画再生装置に表示することができるが、リモートコントローラと視聴・録画予約は連動するものではないので、視聴・録画予約は従来の方法で別途行わなければならない。
【０００８】
また、従来のテレビ受像機及び／又は録画再生装置等に付属するリモートコントローラは、同じテレビ受像機及び／又は録画再生装置等を使用する家族等の各人の嗜好や特性に応じて、カスタマイズされた設定を記憶させて、リモートコントローラを手にしたとき、自動的にその設定を呼び出すことはできなかった。例えば、リモートコントローラを手にしたユーザが未成年の場合は、年齢制限のある番組やコンテンツ（ビデオ、ＤＶＤ等）を視聴できないようにすることなどができなかった。
【０００９】
本発明が解決しようとする課題としては、テレビ番組の視聴・録画予約を行うときに、繁雑な作業を必要とせず、誤登録が起こらないようにすることができるテレビ受像機及び／又は録画再生装置の動作設定システム、リモートコントローラ及びテレビ受像機及び／又は録画再生装置を提供することがその一例として挙げられる。また、リモートコントローラを手にしたとき、自動的に手にしたユーザに応じた設定を呼び出すことができるテレビ受像機及び／又は録画再生装置の動作設定システム、リモートコントローラ及びテレビ受像機及び／又は録画再生装置を提供することがその一例として挙げられる。
【課題を解決するための手段】
【００１０】
請求項１に記載のテレビ受像機及び／又は録画再生装置の動作設定システムは、
撮像対象を撮影する撮像手段と、
撮影された前記撮像対象の画像データから文字の部分を抽出して文字データとして認識する文字認識手段と、
文字認識された前記文字データを送信する送信手段と、を有するリモートコントローラと、
前記送信手段から送信された前記文字データを受信する受信手段と、
受信した前記文字データを処理し、その文字データの情報を解析して視聴・録画予約を設定するデータ処理手段と、を有するテレビ受像機及び／又は録画再生装置と、
を備えることを特徴とする。
【００１１】
請求項２に記載のテレビ受像機及び／又は録画再生装置の動作設定システムは、
撮像対象を撮影する撮像手段と、
撮影された前記撮像対象の画像データを送信する送信手段と、を有するリモートコントローラと、
前記送信手段から送信された前記画像データを受信する受信手段と、
受信した前記画像データから文字の部分を抽出して文字データとして認識する文字認識手段と、
前記文字データを処理し、その文字データの情報を解析して視聴・録画予約を設定するデータ処理手段と、を有するテレビ受像機及び／又は録画再生装置と、
を備えることを特徴とする。
【００１２】
請求項９に記載のリモートコントローラは、
撮像対象を撮影する撮像手段と、
撮影された前記撮像対象の画像データから文字の部分を抽出して文字データとして認識する文字認識手段と、
前記文字データを送信する送信手段と、有することを特徴とする。
【００１３】
請求項１１に記載のテレビ受像機及び／又は録画再生装置は、
請求項９または１０に記載のリモートコントローラから送信された文字データを受信する受信手段と、
受信した前記文字データを処理し、その文字データの情報を解析して視聴・録画予約を設定するデータ処理手段と、を有することを特徴とする。
【００１４】
請求項１２に記載のテレビ受像機及び／又は録画再生装置の動作設定システムは、
リモートコントローラの操作者を撮影する撮像手段と、
撮影された前記操作者の画像データが、予め登録された登録者の画像データと一致するかを検索し、画像データが一致した登録者を操作者として認識し、予め記憶されている操作者の設定データを読み出す操作者認識手段と、
読み出された前記設定データを送信する送信手段と、を有するリモートコントローラと、
前記送信手段から送信された前記設定データを受信する受信手段と、
受信した前記設定データに基づく設定に操作設定を切り換える設定切換手段と、を有するテレビ受像機及び／又は録画再生装置と、
を備えることを特徴とする。
【００１５】
請求項１３に記載のテレビ受像機及び／又は録画再生装置の動作設定システムは、
リモートコントローラの操作者を撮影する撮像手段と、
撮影された前記撮像対象の画像データを送信する送信手段と、を有するリモートコントローラと、
前記送信手段から送信された前記画像データを受信する受信手段と、
受信した前記画像データから、予め登録された登録者の画像データと一致するかを検索し、画像データが一致した登録者を操作者として認識し、予め記憶されている操作者の設定データを読み出す操作者認識手段と、
前記設定データに基づく設定に操作設定を切り換える設定切換手段と、を有するテレビ受像機及び／又は録画再生装置と、
を備えることを特徴とする。
【００１６】
請求項１８に記載のリモートコントローラは、
リモートコントローラの操作者を撮影する撮像手段と、
撮影された前記操作者の画像データが、予め登録された登録者の画像データと一致するかを検索し、画像データが一致した登録者を操作者として認識し、予め記憶されている操作者の設定データを読み出す操作者認識手段と、
読み出された前記設定データを送信する送信手段と、を有することを特徴とする。
【００１７】
請求項２２に記載のテレビ受像機及び／又は録画再生装置は、
請求項１８〜２１のいずれか１項に記載のリモートコントローラから送信された設定データを受信する受信手段と、
受信した前記設定データに基づく設定に操作設定を切り換える設定切換手段と、を有することを特徴とする。
【発明を実施するための最良の形態】
【００１８】
以下、本発明の実施の形態について説明する。
本発明の第１の実施の形態に係るテレビ受像機及び／又は録画再生装置の動作設定システムは、撮像対象を撮影する撮像手段と、撮影された前記撮像対象の画像データから文字の部分を抽出して文字データとして認識する文字認識手段と、文字認識された前記文字データを送信する送信手段と、を有するリモートコントローラと、前記送信手段から送信された前記文字データを受信する受信手段と、受信した前記文字データを処理し、その文字データの情報を解析して視聴・録画予約を設定するデータ処理手段と、を有するテレビ受像機及び／又は録画再生装置と、を備えることを特徴とすることをその最良の形態とするものである。
【００１９】
また、本発明の第２の実施の形態に係るテレビ受像機及び／又は録画再生装置の動作設定システムは、リモートコントローラの操作者を撮影する撮像手段と、撮影された前記操作者の画像データが、予め登録された登録者の画像データと一致するかを検索し、画像データが一致した登録者を操作者として認識し、予め記憶されている操作者の設定データを読み出す操作者認識手段と、読み出された前記設定データを送信する送信手段と、を有するリモートコントローラと、前記送信手段から送信された前記設定データを受信する受信手段と、受信した前記設定データに基づく設定に操作設定を切り換える設定切換手段と、を有するテレビ受像機及び／又は録画再生装置と、を備えることを特徴とすることをその最良の形態とするものである。
【実施例】
【００２０】
以下、本発明の第１及び第２の実施の形態に係るテレビ受像機及び／又は録画再生装置の動作設定システムの具体的な実施例を挙げて、図面を参照して説明する。
なお、本発明の実施の形態に係るテレビ受像機及び／又は録画再生装置の動作設定システムは、録画再生機能を持ったテレビ受像機によるもの、録画再生装置に連動したテレビ受像機によるものなど、テレビ受像機と録画再生装置とが一体のものでも別体に構成されたものでも、どちらでもかまわない。以下の実施例におけるテレビ受像機は、録画再生機能を持ったテレビ受像機として話を進める。
なお、以下の実施例１は第１の実施の形態に係るテレビ受像機及び／又は録画再生装置の動作設定システムの具体的な実施例であり、実施例２は第２の実施の形態に係るテレビ受像機及び／又は録画再生装置の動作設定システムの具体的な実施例である。
【００２１】
（実施例１）
図１は、実施例１に係るテレビ受像機（ここでは、録画再生機能を持ったテレビ受像機）の動作設定システムを示すブロック図である。このテレビ受像機の動作設定システムは、リモートコントローラ１１及びテレビ受像機１２を備える。リモートコントローラ１１は、撮像手段１３と、文字認識手段１４と、送信手段１５と、制御手段１６と、を備える。
【００２２】
これらのうち、撮像手段１３は、撮像対象を撮影するカメラ（ＣＣＤカメラなど）である。撮像対象としては、例えば新聞や雑誌などの紙メディアに掲載された文字情報などを撮影する。なお、撮像手段１３は、静止画のみ、あるいは、静止画に加えて動画を撮影できるものでもよい。
【００２３】
文字認識手段１４は、撮影した紙メディアの画像データから文字（テキスト）の部分を抽出して文字データとして認識する（所謂、ＯＣＲとして機能する）。
【００２４】
送信手段１５は、文字認識した文字データをアンテナ４１（図２参照）を介し、電波による短距離無線で送信するように機能する。
【００２５】
制御手段１６は、撮像手段１３、文字認識手段１４、送信手段１５の動作や処理を制御、管理するように機能する。
【００２６】
一方、テレビ受像機１２は、受信手段１７と、データ処理手段１８と、電子番組表記憶手段１９と、表示手段２０と、を備えている。
【００２７】
これらのうち、受信手段１７は、リモートコントローラ１１の送信手段１５から送信された文字データを受信するように機能する。この受信手段１７は、送信手段１５とともに短距離無線通信用のものが用いられる。
【００２８】
このように、電波による短距離無線通信を使用することにより、リモートコントローラ１１とテレビ受像機１２との間に遮蔽物が存在したとしても通信が可能である。また、リモートコントローラ１１を撮像対象に向けて撮影した後、あらためて、リモートコントローラ１１をテレビ受像機１２に向けなおす必要がなく、撮像するとほぼ同時にデータ送信が可能である。
【００２９】
データ処理手段１８は、受信した前記文字データを処理し、その文字データの情報を解析して視聴・録画予約を設定するように機能する。例えば、電子番組表記憶手段２０に予め記憶された電子番組表の中にある番組タイトル、出演者、放送時間等の文字データと、受信した文字データの単語のうち少なくとも１つが一致するかを検索する。
表示手段２０は、テレビ受像機１２の画像表示部であり、番組の画像や設定時の文字情報等を表示する。
【００３０】
図２は、リモートコントローラ１１の外観を示す図であり、（ａ）は（ｂ）の正面図におけるＡ矢視図である。
前記リモートコントローラ１１の外観は、図２に示す通りである。このリモートコントローラ１１は、手で握ることができる長直方形の筐体３１の表面側に、電源キー３２、カメラ切替キー３３、放送波選択キー群３４（例えば、地上波アナログ、地上波デジタル、ＢＳ放送、ＣＳ放送等）、数字キー群３５（例えば、チャンネル選択、数字入力などに使用）、チャンネル切り換えキー３６、音量調整キー３７、を備えている。
【００３１】
図２（ｂ）のＡ矢視図に示す筐体３１の前端面には、送信アンテナ４１、撮像手段１３を構成するレンズ４２及びライト４３を備えている。
【００３２】
電源キー３２は、テレビ受像機１２の電源をオン又はオフするためのキーである。
カメラ切替キー３３は、音量調整やチャンネル選択などの通常のリモートコントロールモードから撮影モードへの切り替え用である。
放送波選択キー群３４は、地上波アナログ、地上波デジタル、ＢＳ放送、ＣＳ放送等のうちどの放送波を受信するかを選択するものである。
数字キー群３５は、チャンネルを直接選択したり、テレビ受像機１２に対する各種設定入力を行うときの数字入力をしたりするキーである。
チャンネル切り換えキー３６は、テレビ受像機１２のチャンネルの順次切り替え用である。
音量調整キー３７は、テレビ受像機１２の音量を調整用である。
送信アンテナ４１は、テレビ受像機１９へのデータ送信用である。
レンズ４２は、撮像手段１３を構成するレンズである。
ライト４３は、撮像手段１３を構成するライトであり、撮影対象に光を照射するものである（ストロボライトでもよい）。
撮像素子部４４は、撮像手段１３を構成するＣＣＤ素子などの（図３点線部に内蔵された）撮像素子である。
【００３３】
次に、本実施例に係るテレビ受像機の動作設定システムの動作を、図３のフローチャートを参照しながら説明する。ここでは、撮影対象が紙メディアであり、紙メディアに書かれた文字に関連する番組を自動的に検索し、検索された番組に対し、視聴・録画予約を行う場合を説明する。
【００３４】
図３に示すように、リモートコントローラ１１のカメラ切替キー３３が操作者によって操作されることにより、リモートコントローラ１１の動作が撮影モードに設定される（ステップＳ１１）。このとき、受像機１２の画面（表示手段２０）の表示が通常表示からカメラ入力表示に切り替わる（ステップＳ２１）。
【００３５】
続いて、撮像手段１３による撮影操作を行い、画像データを取得する（ステップＳ１２）。
このとき、操作者は新聞や雑誌等の紙メディアの所定の部分にリモートコントローラ１１の筐体３１の前端面を近接させる。すると、撮像手段１３は、この紙メディアの所定の部分を、筐体３１の前端面に設けられたレンズ４５を通して撮影することにより画像データを得る。
【００３６】
次に、撮像手段１３で撮影した紙メディアの所定の部分の画像は、制御手段１６の制御下で文字認識手段１４に入力され、入力された前記画像から、文字認識手段１４によって文字データが認識・抽出される（ステップＳ１３）。
【００３７】
次に、送信手段１５は、前記認識・抽出された文字データを短距離無線によってテレビ受像機１２へ送信する（ステップＳ１４）。
【００３８】
次に、テレビ受像機１２は、リモートコントローラ１１から送信された文字データを受信手段１７にて受信する（ステップＳ２２）。
【００３９】
次に、テレビ受像機１２のデータ処理手段１８は、受信した文字データのデータ処理を実行する（ステップＳ２３）。
【００４０】
次に、上記ステップＳ２３における文字データのデータ処理を具体的に説明する。
【００４１】
テレビ受像機１２は、受信した文字データから意味のある単語を抽出し、抽出された単語をキーワードとして、電子番組表記憶手段１９に記憶されている電子番組表の番組に付随する情報（タイトル、放送日時、出演者等）に対して検索を行い、前記単語の全てまたは一部が含まれている番組を検索する。
【００４２】
次に、検索された番組のタイトル、放送日時、出演者、内容の解説等の番組に付随する情報と、当該番組を視聴するかあるいは録画するかの選択ボタン等を画面に表示する。これにより、操作者はこの画面を見て、視聴あるいは録画のボタンを押して、当該番組の視聴・録画予約を行うことができる。あるいは、視聴・録画のボタンを表示せずに、自動的に当該番組を視聴あるいは録画を行うようにしてもよい。
【００４３】
また、複数の番組が検索された場合は、検索された複数の番組の情報を全てテレビ受像機１２の画面に表示し、操作者が視聴あるいは録画をする番組を選択できるようにしてもよい。また、複数の番組が検索された場合において、放送日時が一番近い番組を自動的に視聴・録画予約するなど、複数の番組が検索された場合に選択の条件を予め設定できるようにしてもよい。
【００４４】
なお、撮像手段１３で撮影された画像に番組を特定するコード（バーコード、２次元バーコード、Ｇコード等）が含まれている場合、当該コードから特定される番組を優先して番組を選択し、自動的に視聴・録画予約するようにしてもよい。
【００４５】
なお、自動的に視聴・録画予約する場合は、視聴するか録画するかを予めリモートコントローラ１１で設定しておくことができるようにすることが望ましい。
【００４６】
なお、上記のようにして保存された視聴・録画予約のデータは、リモートコントローラ１１またはテレビ受像機１２の操作ボタンを使用して、予約のキャンセルや予約内容の編集などの処理を実行することもできる。
【００４７】
なお、撮像対象は必ずしも紙メディアでなくてもよく、例えば、黒板やホワイトボードに書かれた文字、テレビやコンピュータディスプレイなどの表示装置に表示された文字などでもよい。
【００４８】
なお、上記実施例では、文字認識手段をリモートコントローラ１１に設ける構成を示したが、文字認識手段をテレビ受像機１２に設ける構成としてもよい。この場合は、リモートコントローラ１１からは撮影した画像データを、そのままテレビ受像機１２に送信し、テレビ受像機１２は受信した画像データから文字認識手段によって、文字データを認識・抽出する。他の動作は、上記実施例と同様である。
【００４９】
本実施例では、視聴・録画予約のための煩雑なキー入力操作を省くことができるとともに、誤操作による録画の誤予約を回避することができる。また、電子番組表を利用するテレビ番組の視聴・録画予約における画面上の番組表を参照して所望の番組を検索する作業や、この作業に要する煩雑なキー入力操作などの面倒な作業を簡易化することができる。
【００５０】
（実施例２）
次に、本実施の形態に係るテレビ受像機の動作設定システムの実施例２について説明する。
図４は、実施例２に係るテレビ受像機（ここでは、録画再生機能を持ったテレビ受像機）の動作設定システムを示すブロック図である。このテレビ受像機の動作設定システムは、リモートコントローラ５１及びテレビ受像機５２を備える。リモートコントローラ５１は、撮像手段１３と、操作者認識手段５３と、登録者画像記憶手段５４と、送信手段１５と、制御手段１６と、を備える。
【００５１】
これらのうち、撮像手段１３は撮像対象を撮影するカメラ（ＣＣＤカメラなど）である。撮像対象としては、例えば、リモートコントローラの操作者の顔などを撮影する。なお、撮像手段１３は、静止画のみ、あるいは、静止画に加えて動画を撮影できるものでもよい。
操作者認識手段５３は、リモートコントローラの操作者を認識するものである。
また、登録者画像記憶手段５４には、撮像手段１３を通して予め撮影しておいた登録者を識別可能な画像（例えば、顔の画像）が登録されている。
【００５２】
送信手段１５は、認識したデータを、アンテナ等を介し電波によって短距離無線送信するように機能する。
【００５３】
制御手段１６は、撮像手段１３、操作者認識手段１４、登録者画像記憶手段５４及び送信手段１５の動作や処理を制御、管理するように機能する。
【００５４】
一方、テレビ受像機５２は、受信手段１７と、設定切換手段５５と、電子番組表記憶手段１９と、表示手段２０と、を備えている。
【００５５】
これらのうち、受信手段１７は、リモートコントローラ１１の送信手段１５から送信された操作者データを受信するように機能する。この受信手段１７は、送信手段１５とともに短距離無線通信用のものが用いられる。
【００５６】
このように、電波による短距離無線通信を使用することにより、リモートコントローラ５１とテレビ受像機５２との間に遮蔽物が存在したとしても通信が可能である。また、リモートコントローラ５１を撮像対象に向けて撮影した後、あらためて、リモートコントローラ５１をテレビ受像機５２に向けなおす必要がなく、撮像するとほぼ同時にデータ送信が可能である。
【００５７】
設定切換手段５５は、受信した操作者の設定データに基づく設定にテレビ受像機５２の操作設定を切り換えるものである。
表示手段２０は、テレビ受像機１２の画像表示部であり、番組の画像や設定時の文字情報等を表示する。
【００５８】
リモートコントローラ５１の外観は、図２に示す実施例１と同様であり、その説明を省略する。
【００５９】
次に、本実施例に係るテレビ受像機の動作設定システムの動作を、図５のフローチャートを参照しながら説明する。
ここでは、撮影対象がリモートコントローラ５１の操作者であり、テレビ受像機５２の設定を特定された操作者に適した設定に自動的に切り換える場合を説明する。
【００６０】
図５に示すように、リモートコントローラ５１のカメラ切替キー３３が操作者によって操作されることにより、リモートコントローラ５１の動作が撮影モードに設定される（ステップＳ３１）。このとき、受像機５２の画面（表示手段２０）の表示が通常表示からカメラ入力表示に切り替わる（ステップＳ４１）。
【００６１】
続いて、撮像手段１３による撮影操作を行い、画像データを取得する（ステップＳ３２）。
操作者認識手段５３は、撮像手段１３により撮影された操作者の画像が、記憶手段１５に登録された登録者の画像データ中に一致する画像が有るか無いかを検索し、一致する登録者の画像があった場合には操作者が認識され（ステップＳ３３）、記憶手段１５に予め記憶されている操作者（一致する登録者）の設定データが読み出される（ステップＳ３４）。
【００６２】
次に、送信手段１５は、記憶手段１５より読み出された操作者の設定データを、短距離無線によってテレビ受像機５２へ送信する（ステップＳ３５）。
【００６３】
次に、テレビ受像機５２は、リモートコントローラ５１から送信された操作者の設定データを受信手段１７にて受信する（ステップＳ４２）。
【００６４】
次に、テレビ受像機５２のデータ処理手段１８は、受信した操作者の設定データに基づく設定にテレビ受像機５２の操作設定を切り換える（ステップＳ４３）。
【００６５】
次に、上記ステップＳ４３におけるテレビ受像機５２の設定の切り換えの例を具体的に説明する。
【００６６】
操作者の操作設定とは、番組検索、視聴・録画予約、電子番組表表示レベルの変更、リモコン操作レベルの変更、音量や映像の設定等などである。
例えば、操作者が未成年者の場合には、未成年者の視聴を制限された時間帯（深夜など）やチャンネルや番組を表示させない、視聴・録画予約ができないようにする。また、操作者がお年寄りなど聴力の弱い者や視力の弱い者の場合には、自動的にテレビ受像機５２の音量あるいは画面の輝度を上げる。また、リモートコントローラの操作に不得手な操作者の場合には、操作のガイダンスを画面に表示させるなどである。
【００６７】
以上のように、本実施例によれば、リモートコントローラ５１が容易に操作者を認識できるので、テレビ受像機５２を使用するユーザが複数いる場合は、操作者毎に適した設定を瞬時に呼び出してその設定に切り換えることができる。
また、操作者毎に視聴・録画予約のデータを分けておけば、各操作者の視聴・録画予約のデータを操作者毎に設定を切り換えて表示や管理をすることができるので、他の操作者が視聴・録画予約した番組のデータに対する閲覧や予約の削除・変更を禁止することができる。
【００６８】
なお、操作者の特定方法は、操作者の顔の画像による方法以外でもよく、例えば、操作者のリモートコントローラ５１に指紋認証手段（図示せず）を設け、指紋により操作者を特定するようにしてもよい。このときの指紋データの入力は、撮像手段１３により操作者の指紋を撮影して画像データをすることができる。または、指紋入力部（図示せず）を設け、この指紋入力部に操作者が指を押しつけて指紋データを入力できるようにしてもよい。
また、リモートコントローラ５１にマイク等の音声入力手段と音声認識手段（図示せず）とを設けて、操作者がこのマイクに向かって音声を発することにより、予め記憶・登録しておいた音声と比較して操作者を特定するなどしてもよい。
【００６９】
なお、上記実施例２では、操作者認識手段５３をリモートコントローラ５１に設ける構成を示したが、操作者認識手段をテレビ受像機５２に設ける構成としてもよい。この場合は、リモートコントローラ５１からは撮影した画像データを、そのままテレビ受像機５２に送信し、テレビ受像機５２は受信した画像データに対して、操作者認識手段によって、操作者を特定・認識する。この場合、登録者の画像データは、テレビ受像機５２に設けられた記憶手段に記憶されているものとする。他の動作は、上記実施例と同様である。
【００７０】
なお、上記実施例１、２ではリモートコントローラ１１（５１）とテレビ受像機１２（５２）との間の通信手段は、電波による短距離無線としたが、赤外線通信や超音波通信、あるいは有線通信等の他の通信手段を使用してもよい。
【００７１】
なお、上記実施例１、２に係るテレビ受像機及び／又は録画再生装置の動作設定システムにおいて、撮像手段１３で撮影された静止画や動画は、そのままテレビ受像機１２（５２）に表示して楽しむこともできる。
【００７２】
以上、詳述したように、本発明の第１の実施の形態に係るテレビ受像機及び／又は録画再生装置の動作設定システムは、撮像対象を撮影する撮像手段１３と、撮影された撮像対象の画像データから文字の部分を抽出して文字データとして認識する文字認識手段１４と、文字認識された文字データを送信する送信手段１５と、を有するリモートコントローラ１１と、送信手段１５から送信された文字データを受信する受信手段１７と、受信した文字データを処理し、その文字データの情報を解析して視聴・録画予約を設定するデータ処理手段１８と、を有するテレビ受像機及び／又は録画再生装置１２と、を備える。
これにより、視聴・録画予約のための煩雑なキー入力操作を省くことができるとともに、誤操作による録画の誤予約を回避することができる。また、電子番組表を利用するテレビ番組の視聴・録画予約における画面上の番組表を参照して所望の番組を検索する作業や、この作業に要する煩雑なキー入力操作などの面倒な作業を簡易化することができる。
よって、テレビ番組や録画再生装置のコンテンツ（ビデオ、ＤＶＤ等）に対する視聴・録画予約を行うときに、繁雑な作業を必要とせず、誤登録が起こらないようにすることができるテレビ受像機及び／又は録画再生装置の動作設定システム、リモートコントローラ及びテレビ受像機及び／又は録画再生装置を提供することができるものである。
【００７３】
また、本発明の第２の実施の形態に係るテレビ受像機及び／又は録画再生装置の動作設定システムは、リモートコントローラ５２の操作者を撮影する撮像手段１３と、撮影された操作者の画像データが、予め登録された登録者の画像データと一致するかを検索し、画像データが一致した登録者を操作者として認識し、予め記憶されている操作者の設定データを読み出す操作者認識手段５３と、読み出された設定データを送信する送信手段１５と、を有するリモートコントローラ５１と、送信手段１５から送信された設定データを受信する受信手段１７と、受信した設定データに基づく設定に操作設定を切り換える設定切換手段５５と、を有するテレビ受像機及び／又は録画再生装置５２と、を備える。
これにより、リモートコントローラ５１が容易に操作者を認識できるので、テレビ受像機５２を使用するユーザが複数いる場合は、操作者毎に適した設定を瞬時に呼び出してその設定に切り換えることができる。
また、操作者毎に視聴・録画予約のデータを分けておけば、各操作者の視聴・録画予約のデータを操作者毎に設定を切り換えて表示や管理をすることができるので、他の操作者が視聴・録画予約した番組のデータに対する閲覧や予約の削除・変更を禁止することができる。
よって、これからテレビ受像機及び／又は録画再生装置に対して、操作をしようとする操作者がリモートコントローラを手にしたとき、自動的に当該操作者に応じた設定を呼び出すことができるリモートコントローラ及びテレビ受像機及び／又は録画再生装置を提供することができるものである。
【図面の簡単な説明】
【００７４】
【図１】本発明の実施例１に係るテレビ受像機の動作設定システムを示すブロック図である。
【図２】本発明の実施例１又は実施例２に係るリモートコントローラを示す外観図である。
【図３】本発明の実施例１に係るテレビ受像機の動作設定システムの動作を示すフローチャートである。
【図４】本発明の実施例２に係るテレビ受像機及び／又は録画再生装置の動作設定システムを示すブロック図である。
【図５】本発明の実施例２に係るテレビ受像機の動作設定システムの動作を示すフローチャートである。
【符号の説明】
【００７５】
１１、５１  リモートコントローラ
１２、５２  テレビ受像機
１３  撮像手段
１４  文字認識手段
１５  送信手段
１６  制御手段
１７  受信手段
１８  データ処理手段
１９  電子番組表記憶手段
２０  表示手段
５３  操作者認識手段
５４  登録者画像記憶手段
５５  設定切換手段
【図１】
2008131081.tif 000003
【図２】
2008131081.tif 000004
【図３】
2008131081.tif 000005
【図４】
2008131081.tif 000006
【図５】
2008131081.tif 000007